【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  炭化水素重合体を含有する組成物であって、該炭化水素重合体が星形重合体でないとき、２０，０００〜約５００，０００の範囲のＭｎを有し、該炭化水素重合体が星形重合体のとき、約４，０００，０００までのＧＰＣピーク分子量を有し、そこに、ペンダント基ＡａおよびＢｂが結合しており、ここで、各Ａは、独立して、式−Ｑ−Ｋｋの基の１構成要素であり、ここで、各Ｑは、独立して、脂肪族または芳香族炭化水素基であり、各Ｋは、独立して、アミド基、ニトリル基、エステル基およびカルボン酸基からなる群から選択される１構成要素であり、そして各ｋは、独立して、１〜約４の範囲の数であり、ｋ≧２のとき、隣接炭素原子上の−Ｋ基は、一緒になって、イミド基を構成でき、その添字ａは、０または１〜約５０の範囲の数である；そして各Ｂは、独立して、次式の基の１構成要素である：
【化１】
1999236586.tif 000001
ここで、各Ｘは、独立して、Ｏ、ＳまたはＮＲｂであり、各Ｒｂは、独立して、Ｈ、ＮＨ２、ヒドロカルビル、ヒドロキシヒドロカルビルまたはアミノヒドロカルビルであり、各ｓは、独立して、１または２であり、そして各Ｚは、独立して、必要に応じて１個またはそれ以上のカルボン酸基またはアミド基で置換したヒドロカルビル基であり、各Ｒａは、独立して、エチレン基、プロピレン基であって、これらの基は、必要に応じて、ヒドロカルビル置換基またはヒドロキシヒドロカルビル置換基を有するか、または
【化２】
1999236586.tif 000002
およびそれらの互変異性体であり、ここで、Ｊは、Ｈ、ＳＨ、ＮＨ２またはＯＨである；そして添字ｂは、１〜約４０の範囲の数であるが、但し、ＸがＯのとき、ｂは、２〜約４０の範囲である、組成物。
【請求項２】  さらに、約１重量％〜約５０重量％の、約１００〜２０，０００未満の範囲の分子量を有する炭化水素ベースの基を含有し、該炭化水素ベースの基に、０個から約１０個までのＡ基および１個〜約１０個のＢ基が結合している、請求項１に記載の組成物。
【請求項３】  前記Ａ基およびＢ基が結合した炭化水素重合体が、以下：
（１）ジエンの重合体；
（２）共役ジエンとビニル置換芳香族化合物との共重合体；
（３）２個〜約２８個の炭素原子を有する脂肪族オレフィンの重合体；
（４）オレフィン−ジエン共重合体；および
（５）星形重合体
からなる群から選択される少なくとも１種の構成要素から誘導される、請求項１に記載の組成物。
【請求項４】  前記炭化水素重合体が、
（１）ジエンの水素化重合体であり、該ジエンが、イソプレン、ブタジエンおよびピペリレンからなる群から選択される共役ジエンを包含し、
（２）イソプレンおよび１，３−ブタジエンからなる群より選択される共役ジエンと、ビニル置換芳香族化合物との水素化ブロック共重合体であり、該ビニル置換芳香族化合物が、スチレン、または１個もしくは２個の低級アルキル基環置換基を有するスチレンからなる群より選択されるスチレン系化合物であり、
（３）２個〜約２８個の炭素原子を有する脂肪族オレフィンの重合体であり、該脂肪族オレフィンが、α−オレフィンを包含し、
（４）オレフィン−ジエン共重合体であって、該オレフィンが、エチレンおよびプロピレンを包含し、該ジエンが、１，４−ヘキサジエン、ジシクロペンタジエン、エチリデンノルボルネン、ビニルノルボルネンおよび４−ビニルシクロヘキサンからなる群から選択される、オレフィン−ジエン共重合体である、オレフィン−ジエン共重合体、またはオレフィン−ジエン共重合体であって、該オレフィンが、イソブチレンであり、該ジエンが１，３−ブタジエンおよびイソプレンからなる群より選択される共役ジエンである、オレフィン−ジエン共重合体であり、
（５）星形重合体であって、そのＭｎが、約１００，０００〜約２百万の範囲であり、その腕は、少なくとも１つのポリイソブチレン、水素化ジエン単独重合体および水素化ジエン共重合体、ならびに、ジエン−ビニル置換芳香族共重合体を包含する、
請求項３に記載の組成物。
【請求項５】  前記Ａが、スクシンイミド基であり、そして前記添字ａが、１〜約１０の範囲であり、前記添字ｂが、１〜約１０の範囲であり、各Ｚが、独立して、２個または３個の炭素原子を含有する脂肪族炭化水素基であり、該脂肪族炭化水素基が、必要に応じて、カルボン酸基またはアミド基で置換されており、Ｘが、ＮＲｂであり、そしてＲａが、以下の基である、請求項１に記載の組成物：
【化３】
1999236586.tif 000003
ここで、Ｊは、ＮＨ２およびエチレン基からなる群より選択される、組成物。
【請求項６】  （Ｐ）炭化水素重合体に、該重合体１モルあたり、１〜約５０モルの（Ｍ）少なくとも１種のα，β−不飽和カルボン酸またはそれらの官能性誘導体をグラフト化して、カルボキシル基含有中間体を形成する工程であって、該炭化水素重合体が星形重合体でないとき、２０，０００〜約５００，０００の範囲のＭｎを有し、そして該炭化水素重合体が星形重合体のとき、約４，０００，０００までのＧＰＣピーク分子量を有する工程；次いで、該中間体を、該カルボン酸またはそれらの官能性中間体１当量あたり、（Ｃ）カルボン酸もしくはそれらの官能性誘導体の当量あたり、約０．５〜約１．２５当量の複素環前駆体と反応させる工程であって、該グラフト化が、遊離ラジカル開始剤を用いて行われ、かつ該複素環前駆体との反応が、該カルボキシル基の少なくとも約５０％を複素環基に転化するのに充分な時間にわたって、約１００℃〜約２００℃の範囲の温度で行われる、方法。
【請求項７】  （Ｍ）が、（Ｐ）約０．１モル当量の炭素−炭素二重結合から約２モルのオレフィン性不飽和化合物までを含有する混合物上でグラフト化され、該オレフィン性不飽和化合物は、オレフィン性不飽和重合体中の該炭素−炭素二重結合１モル当量あたり、約１００〜２０，０００未満の範囲の分子量を有する、請求項６に記載の方法。
【請求項８】  前記炭化水素重合体が、以下：
（１）ジエンの重合体；
（２）共役ジエンとビニル置換芳香族化合物との共重合体；
（３）２個〜約２８個の炭素原子を有する脂肪族オレフィンの重合体；
（４）オレフィン−ジエン共重合体；および
（５）星形重合体
からなる群から選択される少なくとも１種の構成要素である、請求項６に記載の方法。
【請求項９】  前記炭化水素重合体が、
（１）ジエンの水素化重合体であり、該ジエンが、イソプレン、ブタジエンおよびピペリレンからなる群から選択される共役ジエンを包含し、
（２）共役ジエンとビニル置換芳香族化合物との水素化共重合体であり、該ビニル置換芳香族化合物が、スチレン系化合物であり、
（３）２個〜約２８個の炭素原子を有する脂肪族オレフィンの重合体であり、該脂肪族オレフィンが、α−オレフィンを包含し、
（４）オレフィン−ジエン共重合体であって、該オレフィンが、エチレンおよびプロピレンを包含し、該ジエンが、１，４−ヘキサジエン、ジシクロペンタジエン、エチリデンノルボルネン、ビニルノルボルネンおよび４−ビニルシクロヘキサンからなる群から選択される、オレフィン−ジエン共重合体である、オレフィン−ジエン共重合体、またはオレフィン−ジエン共重合体であって、該オレフィンが、イソブチレンであり、該ジエンが１，３−ブタジエンおよびイソプレンからなる群より選択される共役ジエンである、オレフィン−ジエン共重合体であり、
（５）水素化した星形重合体であり、そのアームが、ポリイソブチレン、水素化ジエン単独重合体および水素化ジエン共重合体、ならびにジエン−ビニル置換芳香族共重合体の少なくとも１種から誘導され、
ここで、前記α，β−不飽和カルボン酸またはその官能性誘導体が、無水マレイン酸、アクリル酸、メタクリル酸および、無水イタコン酸からなる群より選択され、かつ、前記複素環前駆体（Ｃ）が、式
Ｈ−Ｗ−アルキレン−ＮＨ２    （ＩＩ）
の化合物であって、ＷはＯ、ＳおよびＮＲｂであり、「アルキレン」基は、１〜約８個の炭素原子を含み、該炭素原子は、ヒドロカルビル、ヒドロキシヒドロカルビルおよびアミノヒドロカルビルからなる群より選択される１つ以上の置換基を有し得、そして、Ｒｂは、Ｈ、ヒドロカルビル、ヒドロキシヒドロカルビルまたはアミノヒドロカルビルである、化合物、ならびに、
【化４】
1999236586.tif 000004
またはその塩からなる群より選択され、ここで、ＶはＨ２Ｎ−またはＨ２ＮＮＨ−であり、そしてＵはＯ、ＳまたはＮＨである、請求項８に記載の方法。
【請求項１０】  前記中間体が、少なくとも１種の複素環前駆体、および少なくとも１個の縮合可能なＮ−Ｈ基を有する少なくとも１種の追加化合物の両方と、同時にまたはいずれかの順序で連続的に反応される、請求項６に記載の方法。
【請求項１１】  前記中間体と（Ｃ）との反応が、（Ｄ）少なくとも１種のヒドロカルビル置換カルボン酸またはその無水物との反応と、同時にまたは連続的に行われる、請求項６に記載の方法。
【請求項１２】  前記追加化合物が、そのヒドロカルビル基中に少なくとも３０個の炭素原子を有するヒドロカルビル置換酸またはその無水物と各アルキレン基中に２個または３個の炭素原子を有するアルキレンポリアミン、脂肪酸およびアルキレンポリアミンの複素環誘導体であって、該複素環基中に少なくとも１個の窒素原子を含有する、複素環誘導体との反応生成物からなる群より選択される、請求項１０に記載の方法。
【請求項１３】  （Ｍ）前記α，β−不飽和カルボン酸またはそれらの官能性誘導体が、無水マレイン酸であり、そして前記複素環前駆体が、アミノグアニジン重炭酸塩である、請求項６に記載の方法。
【請求項１４】  押出機で行う、請求項６〜１３のいずれか１項に記載の方法。
【請求項１５】  請求項６〜１４のいずれか１項に記載の方法により調製される生成物。
【請求項１６】  約９５重量％〜約５０重量％の実質的に不活性な有機希釈剤および約５重量％〜約５０重量％の請求項１〜５および１５のいずれか１項に記載の組成物を含有する、添加剤濃縮物。
【請求項１７】  さらに、必要に応じてホウ素化されている無灰分散剤、ならびに炭化水素置換ポリカルボン酸またはそれらの官能性誘導体の窒素および金属含有誘導体からなる群より選択される、約２０重量％〜約８０重量％の少なくとも１種の化合物を含有する、請求項１に記載の組成物。
【請求項１８】  主要量の潤滑粘性のあるオイルおよび少量の請求項１〜５、１５および１７のいずれか１項に記載の組成物を含有する潤滑組成物。
【請求項１９】  主要量の通常液状の燃料および少量の請求項１〜５、１５および１７のいずれか１項に記載の組成物を含有する燃料組成物。